(57)【要約】【課題】  軟便等が漏れ出るのを防止する吸収性物品を提供する。【解決手段】  おむつ１０は、シャーシ１４と吸液構造体２０と漏れバリアカフ３０とを含む。シャーシ１４の内面シート４０は、縦方向Ｙに延びる複数の凸条および凹条を有する。吸液構造体２０の吸液後端縁２２と、後ウエスト弾性体６２との間には、離間領域８０が形成される。カフ内側縁３３には、カフ弾性体３６が収縮可能にカフ前後端縁３１，３２から離間して取り付けられている。カフ内側縁３３と内面シート４０との間には、内側接合部８１が形成され、離間領域８０まで延びている。カフ弾性体３６が収縮すると、カフ内側縁３３が縦方向Ｙの内側に向かって引っ張られ、内側接合部８１の内端部８１ａを基点に身体側に向かって折れ曲がって折曲山部が形成され、折曲山部よりも内面後端縁４２側であって、着衣側では折曲谷部が形成され、これら山部と谷部によってポケットが画成される。【選択図】図４
2010227143.tif 000002
【特許請求の範囲】
【請求項１】
縦方向および横方向と、身体側およびその反対側と、前ウエスト域、後ウエスト域および前記前後ウエスト域間に位置するクロッチ域を有するシャーシと、少なくとも前記クロッチ域に位置する吸液構造体と、前記シャーシの前記横方向に延びる前後端縁の少なくとも前記後端縁に沿って前記横方向に延びる後ウエスト弾性体と、前記シャーシの前記縦方向に延びる両側縁に沿って前記縦方向に延びるレッグ弾性体と、前記シャーシの前記身体側に位置し前記シャーシ両側縁の縦方向に延びる一対の漏れバリアカフとを含み、前記漏れバリアカフは、前後端接合部を介して前記シャーシに接合されるカフ前後端縁と、両側接合部を介して前記シャーシに接合されるカフ外側縁と、前記縦方向に収縮可能に弾性化され前記シャーシから離間可能なカフ内側縁とを含む吸収性物品において、
前記シャーシは、前記身体側に位置する内面シートと、前記反対側に位置する外面シートとを含み、前記内面シートは、横方向に延びる内面前後端縁と、縦方向に延びる内面両側縁とを含み、前記内面シートの前記身体側に前記漏れバリアカフが位置され、
前記吸液構造体は、前記横方向に延びる吸液前後端縁を含み、前記内面後端縁と前記吸液後端縁との前記縦方向の間には離間領域が形成され、前記カフ内側縁と前記内面シートとが内側接合部を介して接合されるとともに、前記内側接合部は、前記離間領域に形成されることを特徴とする前記吸収性物品。
【請求項２】
前記内面シートは、前記縦方向に延びる複数の凸条と、これら凸条の前記横方向間に形成される凹条とを有する請求項１記載の吸収性物品。
【請求項３】
前記漏れバリアカフは、前記カフ内側縁に形成されたカフ弾性体によって前記縦方向に弾性化され、前記カフ弾性体は、前記内側接合部よりも前記縦方向内側に取り付けられる請求項１または２記載の吸収性物品。
【請求項４】
一対の前記内側接合部は、前記内面後端縁からの前記縦方向の長さ寸法が等しくされている請求項１〜３のいずれかに記載の吸収性物品。
【請求項５】
前記内面シートは、前記凸条および凹条に沿って曲がる縦剛性よりも、前記凸条および凹条に直交する方向に曲がる横剛性の方が高く、前記横剛性が５０ｍｍ以上９０ｍｍ未満である請求項１〜４のいずれかに記載の吸収性物品。
【請求項６】
前記後ウエスト弾性体は、前記内面シートと前記外面シートとの間に取り付けられる請求項１〜５のいずれかに記載の吸収性物品。
【発明の詳細な説明】
【技術分野】
【０００１】
この発明は、吸収性物品に関し、さらに詳しくは使い捨てのおむつ、排泄トレーニングパンツ、失禁ブリーフ等に関する。
【背景技術】
【０００２】
従来、着用時に背側部と腹側部とを係合するいわゆるオープンタイプの使い捨ておむつとして、例えば、特許文献１（特許第４０４９７３３号公報）に記載されたものが公知である。このおむつは、表裏面シートと、これら表裏面シートの間に形成された吸収体とを含む。おむつの背側部の端部には幅方向に伸縮する端部伸縮部を有し、端部伸縮部は帯状の弾性部材によって形成されている。背側部の側縁には幅方向に離間するサイド伸縮部を有し、サイド伸縮部は複数本の糸状の弾性部材によって形成されている。端部伸縮部とサイド伸縮部とは長手方向に離間し、これらの間には実質的に非弾性であるポケット形成部が形成される。端部伸縮部およびサイド伸縮部の伸縮によって、ポケット形成部には凹部が形成され、乳幼児の軟便捕捉部として機能するポケットを形成する。
【先行技術文献】
【特許文献】
【０００３】
【特許文献１】特許第４０４９７３３号公報（ＪＰ  ４０４９７３３  Ｂ２）
【発明の概要】
【発明が解決しようとする課題】
【０００４】
上記のようなおむつにおいて、ポケット形成部は、端部伸縮部とサイド伸縮部との間に形成された広い柔軟な領域によって画成される。ポケット形成部で捕捉されなかった軟便や、捕捉されたが着用者の寝返り等によって背側に移動された軟便は、直接端部伸縮部に接触する。端部伸縮部は、その収縮によって皺が発生し、着用者の背中との間で隙間が形成されているから、この隙間から軟便が漏れる可能性があった。
【０００５】
この発明では、軟便等が漏れ出るのを防止する吸収性物品を提供することを課題とする。
【課題を解決するための手段】
【０００６】
この発明は、縦方向および横方向と、身体側およびその反対側と、前ウエスト域、後ウエスト域および前記前後ウエスト域間に位置するクロッチ域を有するシャーシと、少なくとも前記クロッチ域に位置する吸液構造体と、前記シャーシの前記横方向に延びる前後端縁の少なくとも前記後端縁に沿って前記横方向に延びる後ウエスト弾性体と、前記シャーシの前記縦方向に延びる両側縁に沿って前記縦方向に延びるレッグ弾性体と、前記シャーシの前記身体側に位置し前記シャーシ両側縁の縦方向に延びる一対の漏れバリアカフとを含み、前記漏れバリアカフは、前後端接合部を介して前記シャーシに接合されるカフ前後端縁と、両側接合部を介して前記シャーシに接合されるカフ外側縁と、前記縦方向に収縮可能に弾性化され前記シャーシから離間可能なカフ内側縁とを含む吸収性物品の改良に関わる。
【０００７】
この発明は、前記吸収性物品において、前記シャーシは、前記身体側に位置する内面シートと、前記反対側に位置する外面シートとを含み、前記内面シートは、横方向に延びる内面前後端縁と、縦方向に延びる内面両側縁とを含み、前記内面シートの前記身体側に前記漏れバリアカフが位置され、前記吸液構造体は、前記横方向に延びる吸液前後端縁を含み、前記内面後端縁と前記吸液後端縁との前記縦方向の間には離間領域が形成され、前記カフ内側縁と前記内面シートとが内側接合部を介して接合されるとともに、前記内側接合部は、前記離間領域に形成されることを特徴とする。
【０００８】
この発明の好ましい実施態様のひとつとして、前記内面シートは、前記縦方向に延びる複数の凸条と、これら凸条の前記横方向間に形成される凹条とを有する。
好ましい他の実施態様のひとつとして、前記漏れバリアカフは、前記カフ内側縁に形成されたカフ弾性体によって前記縦方向に弾性化され、前記カフ弾性体は、前記内側接合部よりも前記縦方向内側に取り付けられる。
好ましい他の実施態様のひとつとして、一対の前記内側接合部は、前記内面後端縁からの前記縦方向の長さ寸法が等しくされている。
好ましい他の実施態様のひとつとして、前記内面シートは、前記凸条および凹条に沿って曲がる縦剛性よりも、前記凸条および凹条に直交する方向に曲がる横剛性の方が高く、前記横剛性が５０ｍｍ以上９０ｍｍ未満である。前記各剛性は、ＪＩＳ  Ｌ１０１８  ８．２２．１  Ａ法に基づいて測定される。
好ましい他の実施態様のひとつとして、前記後ウエスト弾性体は、前記内面シートと前記外面シートとの間に取り付けられる。
【発明の効果】
【０００９】
吸収性物品を形成するシャーシは、内外面シートによって形成され、内面シートの身体側には漏れバリアカフが形成されている。内面後端縁と吸液後端縁との縦方向の間には離間領域が形成され、縦方向に弾性化されたカフ内側縁と内面シートとが内側接合部を介して接合されるとともに、内側接合部は、離間領域に形成されることとしたので、カフ内側縁の収縮によって内面シートが引っ張られ、内側接合部を基点として折れ曲がり、内面シートには折曲山部が形成される。折曲山部は後ウエスト弾性体よりも縦方向内側に形成され、折曲山部で排泄物の縦方向の移動を規制することができる。したがって、排泄物が後ウエスト弾性体によって形成された隙間を介して吸収性物品の外に漏れるのを防止することができる。
【図面の簡単な説明】
【００１０】
【図１】おむつの斜視図。
【図２】図１のＩＩ−ＩＩ線断面図。
【図３】図１のおむつの展開図。
【図４】図３の平面図。
【図５】図４のＶ−Ｖ線断面図。
【図６】図４のＶＩ−ＶＩ線断面図。
【発明を実施するための形態】
【００１１】
吸収性物品として使い捨ておむつを用い、この発明の一例を説明する。
【００１２】
図１〜６は、この発明の一実施形態を示したものであり、図１はおむつ１０の組み立て状態における斜視図、図２は図１のＩＩ−ＩＩ線断面図、図３はおむつ１０の前後ウエスト域における係合を解いた状態の図、図４は図３のおむつの各弾性体をその収縮力に抗して伸長させ、おむつ１０を平面状態に保った状態の平面図、図５は図４のＶ−Ｖ線断面図、図６は図４のＶＩ−ＶＩ線断面図である。図４において、説明のためにその一部を破断させている。
【００１３】
おむつ１０は、縦方向Ｙおよび横方向Ｘと、身体側およびその反対側である着衣側と、縦方向Ｙに連なる前ウエスト域１１、後ウエスト域１２、これら前後ウエスト域１１，１２の間に位置するクロッチ域１３を有するシャーシ１４と、クロッチ域１３から前後ウエスト域１１，１２に延びる吸液構造体２０と、シャーシ１４の身体側に位置する一対の漏れバリアカフ３０とを含む。おむつ１０は、横方向Ｘの長さ寸法を二等分する仮想縦中心線Ｐ−Ｐと、縦方向Ｙの長さ寸法を二等分する仮想横中心線Ｑ−Ｑとを有し、仮想縦中心線Ｐ−Ｐに対してほぼ対称に形成されている。
【００１４】
シャーシ１４は、身体側に位置する内面シート４０と、反対側に位置する外面シート５０とを含む。図４に示したように、内外面シート４０，５０は、横方向Ｘに延びる内外前後端縁４１，４２，５１，５２と、縦方向Ｙに延びる内外両側縁４３，５３とを含み、内面シート４０の横方向Ｘの長さ寸法が外面シート５０よりも小さく、外面両側縁５３が内面両側縁４３から延出し、外面両側縁５３によってシャーシ１４のシャーシ両側縁を形成している。内面前後端縁４１，４２と外面前後端縁５１，５２とはほぼ一致する位置関係を有し、これら端縁でシャーシ１４のシャーシ前後端縁を形成している。
【００１５】
外面シート５０の後ウエスト域１２には、外面両側縁５３から横方向Ｘ外側に延出する後サイドシート７０が取り付けられ、後サイドシート７０にはタブ部材７１を介してフック要素７２が形成されている。外面シート５０の前ウエスト域１１には、外面両側縁５３から横方向Ｘ外側に延出する前サイドシート７４が取り付けられ、これら前サイドシート７４の横方向Ｘ内側であってその着衣側には、横方向Ｘに延びるループ要素７３が取り付けられ（図１参照）、フック要素７２と係合可能とされている。これらフック要素７２をループ要素７３に係合させることによって、パンツ型のおむつ１０を形成することができる。
図５および６に示したように、内面シート４０は、縦方向Ｙに延びる複数の凸条４４と、これら凸条の間に形成される複数の凹条４５とを有する。これら凸条４４の厚さ寸法は約１．０〜３．０ｍｍ、この実施形態では約１．３ｍｍである。凹条４５の厚さ寸法は約０．４〜１．５ｍｍ、この実施形態では約０．７５ｍｍである。これら厚さ寸法は、キーエンスレーザー変位計（ＫＥＹＥＮＣＥ  ＬＫ−Ｇ３０）を用い測定している。具体的には、レーザー照射口から内面シート４０が載置されたテーブルまでの距離を３０．５ｃｍとし、凸条４４または凹条４５に沿って２６ｍｍの長さ範囲を測定している。凸条４４の厚さ寸法とは、テーブルから凸条４４によって画成された山の頂部までの長さ寸法であって、前記２６ｍｍの範囲の平均値、凹条４５の厚さ寸法とは、凹条４５によって画成された溝の底部までの長さ寸法であって、前記２６ｍｍの範囲の平均値で表している。隣接する一方の凸条４４から他方の凸条４４までの長さ寸法であるピッチは、約４ｍｍである。
【００１６】
このような内面シート４０は、凹条４５に沿って、すなわち縦方向に沿って曲がりやすいが、凹条４５に直行する方向、すなわち横方向に沿って折れ曲がり難いという性質を有する。ここで、凸条４４および凹条４５に沿って曲がるときの剛性を縦剛性といい、これに直交して曲がるときの剛性を横剛性という。縦剛性は、１００ｍｍ以上１４０ｍｍ未満であり、この実施形態では約１２０ｍｍである。横剛性は、５０ｍｍ以上９０ｍｍ未満であり、この実施形態では約７０ｍｍである。縦剛性は、横剛性の約１．７倍とすることが好ましい。上記各剛性は、ＪＩＳ  Ｌ１０１８  ８．２２．１  Ａ法に基づいて測定された。
【００１７】
上記のようなシャーシ１４の前後端縁には、横方向Ｘに延びる前後ウエスト弾性体６１，６２が伸長状態で収縮可能に取り付けられている。前後ウエスト弾性体６１，６２は、好ましくはオープンセルを有する発泡ポリウレタンによって帯状に形成され、内外面シート４０，５０の、少なくともいずれか一方に図示しない接着剤等の接合手段で接合される。内面シート４０は、凸条４４および凹条４５に沿った縦剛性が低いので、横方向Ｘに容易に収縮され、これら前後ウエスト弾性体６１，６２の収縮が内面シート４０によって大きく妨げられることがない。
【００１８】
シャーシ１４の両側縁には、縦方向Ｙに延びるレッグ弾性体６３が伸長状態で収縮可能に取り付けられている。レッグ弾性体６３は、複数の弾性糸によって形成され、外面シート５０と漏れバリアカフ３０との間であって、少なくともいずれか一方に図示しない接着剤等の接合手段で接合される。レッグ弾性体６３は、内面シート４０の横方向Ｘ外側に取り付けられることで、凸条４４および凹条４５に直交する横剛性が高い内面シート４０によってその収縮が妨げられないようにされている。
【００１９】
内外面シート４０，５０の間には、吸液構造体２０が取り付けられる。吸液構造体２０は、横方向Ｘに延びる吸液前後端縁２１，２２と、縦方向Ｙに延びる吸液両側縁２３とを含み、吸液前端縁２１は、前ウエスト域１１に位置するとともに、前ウエスト弾性体６１と縦方向Ｙにほぼ隣接して取り付けられている。吸液後端縁２２は、後ウエスト域１２に位置するとともに、後ウエスト弾性体６２と縦方向Ｙに離間領域８０を介して取り付けられている。離間領域８０は、後ウエスト弾性体６２と、吸液後端縁２２との間に形成され、吸液構造体２０の存在しない領域である。離間領域８０の縦方向Ｙの長さ寸法は約３６ｍｍとしている。
【００２０】
吸液両側縁２３は、クロッチ域１３において仮想縦中心線Ｐ−Ｐに向かってその横方向Ｘの長さ寸法が小さくなり、凹部を形成している。上記のような吸液構造体２０は、例えば、フラッフパルプと高吸収性ポリマー粒子との混合物等を含む吸液性芯材と、これを包むティッシュペーパ等の液拡散性シートとを含む。また、吸液構造体２０と外面シート５０との間には、フィルム等で形成された不透液性の漏れ防止シート２４が取り付けられている。
【００２１】
内面シート４０のさらに身体側に取り付けられる漏れバリアカフ３０は、横方向Ｘに延びるカフ前後端縁３１，３２と、縦方向Ｙに延びるカフ内外側縁３３，３４とをそれぞれ含み、カフ外側縁３４が内面両側縁４３から横方向Ｘの外側に延出し、外面両側縁５３に両側接合部３７を介して接合されている。また、レッグ弾性体６３も、両側接合部３７を介してカフ外側縁３４と外面両側縁５３との間に取り付けられる。カフ前後端縁３１，３２は、内面前後端縁４１，４２とほぼ一致する位置関係を有し、これら内面前後端縁４１，４２にそれぞれ前後端接合部３８，３９を介して接合されている。カフ内側縁３３の一部は、内面シート４０側に折り返されてスリーブ部３５を形成し、スリーブ部３５内に、縦方向Ｙに延びるカフ弾性体３６が収縮可能に取り付けられている。カフ弾性体３６は、複数条の弾性糸から形成され、カフ前後端縁３１，３２から離間して、すなわち、一定の間隔をあけて伸長状態で収縮可能に取り付けられ、カフ内側縁３３は、少なくとも、クロッチ域１３において縦方向Ｙに弾性化されている。漏れバリアカフ３０は、カフ内側縁３３に伸縮性不織布等を取り付けることによって、縦方向Ｙに弾性化させることも可能である。
【００２２】
カフ内側縁３３のスリーブ部３５と、内面シート４０との間には、これらを接合する一対の内側接合部８１が形成されている。内側接合部８１は、内面後端縁４２から仮想横中心線Ｑ−Ｑ側に向かって、離間領域８０まで延びている。すなわち内側接合部８１の内端部８１ａが離間領域８０において形成され、外端部８１ｂは、内面後端縁４２と一致する位置に形成されている。具体的には、内端部８１ａは、後ウエスト弾性体６２から約２０ｍｍ離間して位置している。
また、この実施形態では、内側接合部８１とカフ弾性体３６とが、直接および間接的に重ならない位置関係とされ、内端部８１ａとカフ弾性体３６とが離間している。これら一対の内側接合部８１は、その縦方向Ｙの長さ寸法がほぼ等しくされ、内端部８１ａの位置が横方向Ｘで一致する関係を有している。
【００２３】
上記のようなおむつにおいて、カフ弾性体３６が収縮すると、カフ内側縁３３が縦方向Ｙの内側、すなわち仮想横中心線Ｑ−Ｑ側に向かって引っ張られる。カフ内側縁３３は、内側接合部８１で内面シート４０に接合されているので、この接合部８１においては内面シート４０も仮想横中心線Ｑ−Ｑ側に向かって引っ張られる。内面シート４０は、凸条４４および凹条４５に直交する横剛性が高くなるようにされているので、上記のように引っ張られることによって、内側接合部８１の内端部８１ａを基点に身体側に向かって折れ曲がり、折曲山部４６を形成する（図２および３参照）。折曲山部４６が形成されると、折曲山部４６よりも内面後端縁４２側であって、着衣側では折曲谷部４７が形成され、これら山部４６と谷部４７によってポケットが画成される。
【００２４】
折曲山部４６が形成されることによって、排泄された軟便等は、着用者の背中側に移動した場合であっても、この折曲山部４６が障壁となり、軟便が内面後端縁４２側へと移動するのを防止することができる。したがって、おむつ１０の後ウエスト域１２と着用者との間に隙間ができた場合であっても、軟便等の排泄物がおむつ１０から漏れるのを防ぐことができる。また、折曲山部４６で内面後端縁４２側への移動が規制された排泄物は、折曲谷部４７側へと移動し、これらによって画成されたポケットで捕捉される。したがって、排泄物はより一層おむつ１０から漏れるのを防止することができる。
【００２５】
この実施形態において、一対の内側接合部８１の長さ寸法がほぼ等しくされ、折曲山部４６は、内端縁８１ａを横方向Ｘに結んだほぼ直線状に形成されることとなるから、この折曲山部４６は仮想横中心線Ｑ−Ｑにほぼ平行に形成される。したがって、横方向Ｘにおいてはほぼ均等に折曲山部４６が身体に接触し、軟便等の排泄物の縦方向Ｙへの流動を阻止することができる。また、仮想横中心線Ｑ−Ｑにほぼ平行に形成されることによって、凸条４４および凹条４５に直交する方向に折曲山部４６が形成される。内面シート４０は、凸条４４および凹条４５に直交する横剛性が最も高くなるから、より一層、折曲山部４６はその形状を維持することができる。
【００２６】
後ウエスト弾性体６２は、内外面シート４０，５０の間に伸長状態で収縮可能に取り付けられているから、後ウエスト弾性体６２が収縮すると、内面シート４０も横方向Ｘに収縮される。内面シート４０には、縦方向Ｙに延びる凸条４４と凹条４５とが形成されているから、これらが横方向Ｘに収縮すると、凹条４５の横方向Ｘの長さ寸法を縮めるように、すなわち凸条４４が互いに接触するように接近する。このように凸条４４が互いに接近することで、凹条４５で形成された溝がなくなり、内面シート４０と着用者の身体との間に形成される隙間を減少させることができ、より一層、排泄物の漏れを抑制することができる。
【００２７】
内面シート４０は、例えば、繊維ウェブの上部に配置されたノズルから連続的に気体を噴射することで、気体が噴射された部分で凹条４５が形成され、気体が直接噴射されなかった部分で凸条４４が形成される。このような内面シート４０では、繊維ウェブの繊維の再配向により凸条４４に比べて凹条４５で密度を低くすることができる。凹条４５で密度が低くなることによって、この凹条４５を介して軟便が吸液構造体２０側に通過しやすくすることができる。また、噴射する気体の量を間欠的に多くすることによって、凹条４５に間欠的な透孔を形成することもできる。このような透孔が形成された場合には、粘性の高い軟便等の通過を促進することができる。
【００２８】
この実施形態において、内面シート４０の凸条４４および凹条４５をエアの噴射によって形成することとしているが、折曲山部４６を形成し、その形状を維持できる程度の剛性を有するものであれば、この製法に限られるものではない。この製法のほかには、内面シート４０のウォータージェット処理やスチームジェット処理、プレス加工またはギア加工によって形成することもできる。また、凸条４４の厚さ寸法やピッチ、凹条４５の厚さ寸法等、この実施形態で示したものに限られるものではなく、適宜変更可能である。
【００２９】
この発明において、内面シート４０の身体側に凸条４４および凹条４５を形成することとしているが、その着衣側に形成することとしてもよい。ただし、着用者に対する接触面積、体液等の透過性等を考慮すれば、身体側に形成するほうが好ましい。また、吸収性物品として、いわゆるオープン型のおむつを例に説明しているが、これに限られるものではなく、例えば、プルオン・パンツ型のおむつであってもよい。
【符号の説明】
【００３０】
１０  おむつ（吸収性物品）
１１  前ウエスト域
１２  後ウエスト域
１３  クロッチ域
１４  シャーシ
２０  吸液構造体
２１  吸液前端縁
２２  吸液後端縁
３０  漏れバリアカフ
３１  カフ前端縁
３２  カフ後端縁
３３  カフ内側縁
３４  カフ外側縁
３６  カフ弾性体
３７  両側接合部
３８  前接合部
３９  後接合部
４０  内面シート
４４  凸条
４５  凹条
５０  外面シート
６２  後ウエスト弾性体
６３  レッグ弾性体
８１  内側接合部
【図１】
2010227143.tif 000003
【図２】
2010227143.tif 000004
【図３】
2010227143.tif 000005
【図４】
2010227143.tif 000006
【図５】
2010227143.tif 000007
【図６】
2010227143.tif 000008